(57)【特許請求の範囲】
【請求項１】
隣り合って配置された第一窓と第二窓とを連結する場合には、
前記第一窓の枠の屋外側に連結される屋外側第一連結部と、
前記第二窓の枠の前記屋外側に連結可能とされた屋外側第二連結部と、を有する連結材を備え、
隣り合って配置された前記第一窓と第三窓とを連結する場合には、
前記連結材と、
前記連結材に連結されたアタッチメントと、を備え、
前記屋外側第二連結部または前記アタッチメントが、前記第三窓の枠の前記屋外側に連結され、
前記アタッチメントは、前記連結材に螺子止めされていることを特徴とする窓連結構造。
【請求項２】
前記連結材は、
前記第一窓の枠の屋内側に連結される屋内側第一連結部と、
前記第二窓及び前記第三窓の枠の前記屋内側に連結可能とされた屋内側第二連結部と、
前記アタッチメントは、
前記第三窓の枠の前記屋外側に連結されるアタッチメント連結部を有する請求項１に記載の窓連結構造。
【請求項３】
前記第三窓の枠は、単窓用の縦辷り出し窓の枠である請求項１または２に記載の窓連結構造。
【請求項４】
前記第一窓は、前記第二窓及び前記第三窓の上方に配置されている請求項１から３のいずれか一項に記載の窓連結構造。
【発明の詳細な説明】
【技術分野】
【０００１】
本発明は、左右方向または上下方向に隣り合って配置された複数の窓を連結する窓連結構造に関するものである。
【背景技術】
【０００２】
従来から、複数の窓が上下方向に隣り合って配置された段窓や、複数の窓が左右方向に隣り合って配置された連窓では、それぞれの窓が無目や方立で互いに仕切られている。例えば、特許文献１に記載された段窓の下側の窓の上枠と上側の窓の下枠との連結構造では、上側の窓の下枠の支持片と無目に相当する連結材の上取付片とは、ビスで連結されている。さらに、連結材の下係止片及び下向片は、下側の窓の上枠の係合凹部に係合されている。このように、上側の窓の下枠と下側の窓の上枠とは、連結材を介して互いに連結される構成である。
【先行技術文献】
【特許文献】
【０００３】
【特許文献１】特開平８−１９３４６４号公報
【発明の概要】
【発明が解決しようとする課題】
【０００４】
ところで、上記の特許文献１に記載された連結構造では、連結材は、上側の窓の下枠に連結可能な形状、且つ下側の窓の上枠に係合可能な形状でなくてはならい。窓の種類に応じて枠の形状が異なるため、様々な種類の窓どうしを連結するために、連結部材を様々な枠の形状に対応可能にすると、連結部材の形状が複雑化してしまう。一方、枠の形状を統一すると、窓の種類によっては、必要以上の強度等の性能を有した枠形状となり、非効率であるという問題点がある。
【０００５】
そこで、本発明は、上記事情に鑑みてなされたものであり、様々な種類の窓に対応可能でありつつ、隣り合う窓を連結可能な窓連結構造を提供する。
【課題を解決するための手段】
【０００６】
上記目的を達成するために、本発明は以下の手段を採用している。
すなわち、本発明に係る窓連結構造は、隣り合って配置された第一窓と第二窓とを連結する場合には、前記第一窓の枠の屋外側に連結される屋外側第一連結部と、前記第二窓の枠の前記屋外側に連結可能とされた屋外側第二連結部と、を有する連結材を備え、隣り合って配置された前記第一窓と第三窓とを連結する場合には、前記連結材と、前記連結材に連結されたアタッチメントと、を備え、前記屋外側第二連結部または前記アタッチメントが、前記第三窓の枠の前記屋外側に連結され、前記アタッチメントは、前記連結材に螺子止めされていることを特徴とする。
【０００７】
このように構成された窓連結構造では、第一窓と第二窓とが隣り合って配置されている場合には、連結材の屋外側第一連結部を第一窓の枠の屋外側に連結する。また、連結材の屋外側第二連結部を第二窓の枠の屋外側に連結する。このように、第一窓と第二窓とを連結材を介して連結する。
また、第一窓と第三窓とが隣り合って配置されている場合には、同様に、連結材の屋外側第一連結部を第一窓の枠の屋外側に連結する。さらに、連結材にアタッチメントを連結する。そして、屋外側第二連結部またはアタッチメントを第三窓の枠の屋外側に連結する。このように、第一窓と第三窓とを連結材及びアタッチメントを介して連結する。
つまり、第一窓と第三窓とを連結する場合には、第一窓と第二窓とを連結する連結材及びアタッチメントを用いて連結することができる。よって、第一窓と第三窓とを連結する際に、新たな連結材を必要としないで、様々な種類の窓を連結することができる。
【０００８】
また、本発明に係る窓連結構造では、前記連結材は、前記第一窓の枠の屋内側に連結される屋内側第一連結部と、前記第二窓及び前記第三窓の枠の前記屋内側に連結可能とされた屋内側第二連結部と、前記アタッチメントは、前記第三窓の枠の前記屋外側に連結されるアタッチメント連結部を有することが好ましい。
【０００９】
このように構成された窓連結構造では、第一窓と第二窓とが隣り合って配置されている場合には、連結材の屋内側第一連結部を第一窓の枠の屋内側に連結する。また、連結材の屋内側第二連結部を第二窓の枠の屋内側に連結する。このように、第一窓と第二窓とを連結材を介して連結する。
また、第一窓と第三窓とが隣り合って配置されている場合には、同様に、連結材の屋内側第一連結部を第一窓の枠の屋内側に連結する。また、連結材の屋内側第二連結部を第三窓の枠の屋内側に連結する。さらに、連結材にアタッチメントを連結する。そして、アタッチメントのアタッチメント連結部を第三窓の枠の屋外側に連結する。このように、第一窓と第三窓とを連結材及びアタッチメントを介して連結する。
つまり、第一窓と第三窓とを連結する場合には、第一窓と第二窓とを連結する連結材及びアタッチメントを用いて、窓の屋内側及び屋外側を連結することができる。よって、第一窓と第三窓とを連結する際に、新たな連結材を必要としないで、様々な種類の窓を連結することができる。
【００１０】
また、本発明に係る窓連結構造は、前記第三窓の枠は、単窓用の縦辷り出し窓の枠であることが好ましい。
【００１１】
このように構成された窓連結構造では、第一窓と第三窓とが隣り合って配置された段窓や連窓で使用される第三窓の枠は単窓用の縦辷り出し窓の枠であり、段窓専用や連窓専用の枠を必要としないで、互いに連結することができる。
【００１２】
また、本発明に係る窓連結構造は、前記第一窓は、前記第二窓及び前記第三窓の上方に配置されていてもよい。
【００１３】
このように構成された窓連結構造では、第一窓が第二窓及び第三窓の上方に配置された段窓において、連結材を共通で使用することができる。
【発明の効果】
【００１４】
本発明に係る窓連結構造によれば、部品点数を抑えつつ、隣り合う窓を連結することができる。
【図面の簡単な説明】
【００１５】
【図１】本発明の一実施形態に係る第一窓と第三窓との窓連結構造を示す縦断面図である。
【図２】本発明の一実施形態に係る第一窓と第三窓との窓連結構造の要部の縦断面図である。
【図３】図２のＡ部拡大図である。
【図４】本発明の一実施形態に係る第一窓と第二窓との窓連結構造の要部の縦断面図である。
【発明を実施するための形態】
【００１６】
以下、本発明の一実施形態に係る窓連結構造について、図１から図４を用いて説明する。本実施形態では、まず、建築物の開口部に設けられる建具の一例として、上側にＦＩＸ窓（嵌め殺し窓）、下側に縦辷り出し窓を配置した段窓について説明する。
図１は、本発明の一実施形態に係る第一窓と第三窓との窓連結構造を示す縦断面図である。
図１に示すように、上側のＦＩＸ窓（第一窓）１００と下側の縦辷り出し窓（第三窓）２００は、無目（連結材）４０及びアタッチメント６０を介して連結されている。
【００１７】
ＦＩＸ窓１００は、四角形枠状に形成された枠体１と、枠体１内に嵌め込まれた例えばペアガラス等の複層ガラス２と、を備えている。枠体１は、単窓用の枠体である。
なお、以下の説明において、正面視における左右方向を見付け方向と称することがある。見付け方向のうち複層ガラス２の中心に向かう方向を見付け方向の内側とし、反対方向を見付け方向の外側と称することがある。また、複層ガラス２の厚み方向を見込み方向と称することがある。
【００１８】
枠体１は、水平方向に延在する上枠１１及び下枠（第一窓の枠）１２と、上枠１１の両端部と下枠１２の両端部とをそれぞれ連結し上下方向に延在する不図示の縦枠と、を有している。
【００１９】
上枠１１は、屋外側に設けられ金属製の金属上枠１１Ａと、屋内側に設けられ樹脂製の樹脂上枠１１Ｂと、を有している。金属上枠１１Ａと樹脂上枠１１Ｂとは連結されている。
【００２０】
下枠１２は、屋外側に設けられ金属製の金属下枠１２Ａと、屋内側に設けられ樹脂製の樹脂下枠１２Ｂと、を有している。金属下枠１２Ａと樹脂下枠１２Ｂとは連結されている。
【００２１】
図２は、ＦＩＸ窓１００と縦辷り出し窓２００との窓連結構造の要部の縦断面図である。
図２に示すように、金属下枠１２Ａは、樹脂下枠１２Ｂを支持する樹脂支持板部１３と、樹脂支持板部１３に連続して屋外側に延びるガラスパネル支持板部１４と、を有している。
【００２２】
樹脂支持板部１３の屋内側の端部には、下方に向かって垂下する取付板部１５が設けられている。取付板部１５の下端部には、屋外側に向かって屈曲した屈曲壁部１５ａが設けられている。
【００２３】
金属下枠１２Ａには、樹脂支持板部１３の見込み方向の途中部分から、屋外側に向かうにしたがって次第に下方に向かって傾斜する傾斜板部１６が設けられている。傾斜板部１６は、屋外側の方が傾斜角度が緩くなるように形成されている。
【００２４】
ガラスパネル支持板部１４と傾斜板部１６とは、連結板部１７により連結されている。傾斜板部１６の見込み方向の途中部分には、下方に向かって垂下する垂下壁部１８が設けられている。垂下壁部１８の下端部には、屋内側に向かって屈曲した屈曲壁部１８ａが設けられている。
【００２５】
傾斜板部１６の屋外側の端部には、下方に向かって屈曲した縦板部１９が設けられている。
【００２６】
図３は、図２のＡ部拡大図である。
図３に示すように、縦板部１９の下端部には、屋内側に向かって屈曲した横板部２０が設けられている。横板部２０の屋内側の端部には、下方に向かって屈曲した取付板部２１が設けられている。
【００２７】
一方、縦辷り出し窓２００は、図１に示すように、四角形枠状に形成された枠体３と、枠体３内に嵌め込まれた例えばペアガラス等の複層ガラス４と、を備えている。枠体３は、単窓用の枠体である。
【００２８】
枠体３は、水平方向に延在する上枠（第三窓の枠）３１及び下枠３２と、上枠３１の両端部と下枠３２の両端部とをそれぞれ連結し上下方向に延在する不図示の縦枠と、を有している。
【００２９】
上枠３１は、屋外側に設けられ金属製の金属上枠３１Ａと、屋内側に設けられ樹脂製の樹脂上枠３１Ｂと、を有している。金属上枠３１Ａと樹脂上枠３１Ｂとは連結されている。
【００３０】
下枠３２は、屋外側に設けられ金属製の金属下枠３２Ａと、屋内側に設けられ樹脂製の樹脂下枠３２Ｂと、を有している。金属下枠３２Ａと樹脂下枠３２Ｂとは連結されている。
【００３１】
図２に示すように、金属上枠３１Ａは、上部に配置された横板部３３と、横板部３３の屋内側の端部から屋内側に向かうにしたがって次第に上方に傾斜する傾斜板部３４と、を有している。
【００３２】
横板部３３の屋外側の端部には、上方に向かって屈曲した縦板部３５が設けられている。縦板部３５の上端部には、屋内側に向かって屈曲した係止壁部３５ａが設けられている。
【００３３】
傾斜板部３４の屋内側の端部には、上方に向かって延びる取付板部３６が設けられている。取付板部３６の上端部には、屋外側に向かって屈曲した屈曲壁部３６ａが設けられている。
【００３４】
無目４０は、鉛直面に沿って配置された基板部４１と、基板部４１の上部から屋外側の向かうにしたがって次第に下方に傾斜する第一傾斜板部４２と、基板部４１の下部から屋外側の向かって延びる延出壁部４３と、を有している。
【００３５】
基板部４１の上下端部には、それぞれ屋内側に向かって延びる腕部４４が設けられている。
【００３６】
第一傾斜板部４２の屋外側の端部には、屋外側の向かうにしたがって次第に下方に傾斜する第二傾斜板部４５が設けられている。
【００３７】
延出壁部４３の屋外側の端部には、屋外側の向かうにしたがって次第に下方に傾斜する第三傾斜板部４６が設けられている。第三傾斜板部４６の屋外側の端部には、屋外側に向かって延びる横板部４７が設けられている。
【００３８】
図３に示すように、横板部４７の屋外側の端部（屋外側第二連結部）４７ａ近傍には、上方に向かって延びる屈曲壁部４８が設けられている。屈曲壁部４８の上端部には、屋外側に向かって延びる横壁部４９が設けられている。横板部４７の端部４７ａは、屈曲壁部４８よりも屋外側に突出している。
【００３９】
横壁部４９の屋外側の端部には、屋外側に向かうにしたがって次第に上方に傾斜する第四傾斜板部５０が設けられている。
【００４０】
第二傾斜板部４５の屋外側の端部と第四傾斜板部５０の屋外側の端部とは連結しつつ、連結箇所から屋外側に向かって延びる延出板部５１が設けられている。
【００４１】
延出板部５１の屋外側の端部には、屋外側に向かうにしたがって次第に上方に傾斜する上向き壁部５２及び屋外側に向かうにしたがって次第に下方に傾斜する下向き壁部５３が設けられている。
【００４２】
上向き壁部５２の屋外側の端部には、上方に向かって屈曲した取付壁部（屋外側第一連結部）５４が設けられている。取付壁部５４の下端部には、上向きに凹む係止凹部５４ａが形成されている。
【００４３】
下向き壁部５３の屋外側の端部には、屋外側に向かって延びる取付壁部５５が設けられている。
【００４４】
取付壁部５５の屋外側の端部には、上下方向に延びる封止壁部５６が設けられている。封止壁部５６の上下端部には、それぞれ屋内側に向かって屈曲した係止壁部５６ａ，５６ｂが設けられている。係止壁部５６ｂは、縦辷り出し窓２００の金属上枠３１Ａの係止壁部３５ａの上面に沿って配置されている。
【００４５】
アタッチメント６０は、ＦＩＸ窓１００及び縦辷り出し窓２００の見付け方向の略中央に配置されているが、配置される箇所は適宜選択可能である。
【００４６】
アタッチメント６０は、無目４０の横板部４７の下面に沿って配置された取付板部６１と、取付板部６１の屋外側の端部から上方に向かって屈曲した段部６２と、段部６２の上端部から屋外側に向かって延びる延出板部６３と、を有している。
【００４７】
延出板部６３の屋外側の端部近傍には、上方に向かって屈曲した上向き壁部６４が設けられている。上向き壁部６４の上端部には、屋外側に向かって延びる係止壁部６５が設けられている。延出板部６３の屋外側の端部（アタッチメント連結部）６３ａは、上向き壁部６４よりも屋外側に突出している。
【００４８】
次に、無目４０とＦＩＸ窓１００並びに縦辷り出し窓２００との連結構造、及びアタッチメント６０と縦辷り出し窓２００及び無目４０との連結構造について説明する。
【００４９】
図２に示すように、ＦＩＸ窓１００の金属下枠１２Ａの屋内側において、金属下枠１２Ａの取付板部１５と、無目４０の基板部４１の上部（屋内側第一連結部）とは、螺子（屋内側第一連結部）４１Ｘで螺合されている。金属下枠１２Ａの屈曲壁部１５ａは、無目４０の第一傾斜板部４２の屋内側の上面に沿って配置されている。
【００５０】
図３に示すように、ＦＩＸ窓１００の金属下枠１２Ａの屋外側において、金属下枠１２Ａの取付板部２１と、無目４０の取付壁部５４とは、螺子（屋外側第一連結部）５４Ｘで螺合されている。金属下枠１２Ａの屈曲壁部１８ａは、無目４０の第一傾斜板部４２の屋外側の上面に沿って配置されている。
【００５１】
図２に示すように、縦辷り出し窓２００の金属上枠３１Ａの屋内側において、金属上枠３１Ａの取付板部３６と、無目４０の基板部４１の下部（屋内側第二連結部）とは、螺子（屋内側第二連結部）４１Ｙで螺合されている。金属上枠３１Ａの屈曲壁部３６ａは、無目４０の延出壁部４３の屋内側の下面に沿って配置されている。
【００５２】
図３に示すように、アタッチメント６０の取付板部６１の屋内側は、無目４０の横板部４７の屋外側に螺子６１Ｘで螺合されている。
【００５３】
アタッチメント６０の係止壁部６５は、無目４０の係止壁部５６ｂに係止されている。また、縦辷り出し窓２００の金属上枠３１Ａの係止壁部３５ａは、延出板部６３の屋外側の端部６３ａに係止されている。
【００５４】
このように、ＦＩＸ窓１００の金属下枠１２Ａは、屋内側で取付板部１５が螺子４１Ｘで無目４０に連結されるとともに、屋外側で取付板部２１が螺子５４Ｘで無目４０に連結されている。
【００５５】
一方、縦辷り出し窓２００の金属上枠３１Ａは、屋内側で取付板部３６が螺子４１Ｙで無目４０に連結されるとともに、屋外側で係止壁部３５ａが無目４０と連結されたアタッチメント６０の延出板部６３の端部６３ａに係止されている。
【００５６】
無目４０の屋外側には、水切り材７０が設けられている。
水切り材７０は、後述する押圧螺子５５Ｘに押圧される被押圧板部７１と、被押圧板部７１の屋外側の端部から屋外側に向かうにしたがって次第の下方に傾斜する傾斜面部７２と、傾斜面部７２の屋外側の端部から鉛直下向きに垂下する垂下面部７３と、を有している。
【００５７】
水切り材７０の被押圧板部７１の屋内側の端部には、上方に突出する上向き片部７４が設けられている。また、被押圧板部７１の屋外側の下面には、下向きに突出し、先端が屋外側に屈曲した係止片部７５が設けられている。
【００５８】
無目４０の取付壁部５５には、貫通孔５５Ｈが形成されている。貫通孔５５Ｈには、下方から挿通された押圧螺子５５Ｘが螺合されている。押圧螺子５５Ｘは、取付壁部５５の見付け方向の両端部に設けられているが、当該箇所は適宜選択可能である。
【００５９】
押圧螺子５５Ｘの先端部５５Ｚは、平坦に形成されている。押圧螺子５５Ｘの先端部５５Ｚは、水切り材７０の被押圧板部７１の下面を上方に押圧している。
【００６０】
水切り材７０は押圧螺子５５Ｘからの上方に押圧されることにより、上向き片部７４は無目４０の取付壁部５４の係止凹部５４ａに係止され、係止片部７５は無目４０の係止壁部５６ａに係止される。このように、水切り材７０は、見込み方向の両側（屋内側及び屋外側）で無目４０に係止されている。これらの係止により、水切り材７０は無目４０に対して相対的に上方へ移動することが規制されている。
【００６１】
また、ＦＩＸ窓１００の金属下枠１２Ａの横板部２０と水切り材７０の被押圧板部７１との間には、屋外側の位置にシール材Ｓ１が設けられている。これにより、雨水は、横板部２０と被押圧板部７１との間において、シール材Ｓ１よりも屋内側に浸入することが抑制される。そして、雨水は、水切り材７０の被押圧板部７１から傾斜面部７２に沿い、垂下面部７３に沿って流下する。
【００６２】
また、水切り材７０の垂下面部７３と縦辷り出し窓２００の金属上枠３１Ａの縦板部３５との間には、垂下面部７３の下部の位置にシール材Ｓ２が設けられている。これにより、雨水は、垂下面部７３と縦板部３５との間において、シール材Ｓ２よりも上方に浸入することが抑制される。
【００６３】
また、図２に示すように、無目４０の屋内側には、カバー材８０が設けられている。カバー材８０は、カバー本体８１と、カバー本体８１から屋外側に延びる上部延出片８２、上部係止片８３、下部係止片８４及び下部延出片８５と、を有している。
【００６４】
カバー本体８１は、ＦＩＸ窓１００の樹脂下枠１２Ｂの屋内側の端部２７から縦辷り出し窓２００の樹脂上枠３１Ｂの屋内側の端部３７にわたって配置されている。
【００６５】
上部延出片８２は、ＦＩＸ窓１００の樹脂下枠１２Ｂの屋内側の端部２７の下面に沿って配置されている。
【００６６】
上部係止片８３の先端部は、無目４０の上側の腕部４４の下部に係止されている。下部係止片８４の先端部は、無目４０の下側の腕部４４の上部に係止されている。
【００６７】
下部延出片８５は、縦辷り出し窓２００の樹脂上枠３１Ｂの屋内側の端部３７の上面に沿って配置されている。
【００６８】
次に、上記のように構成されたＦＩＸ窓１００と縦辷り出し窓２００との連結方法について説明する。
予め工場等で、無目４０とアタッチメント６０とを、螺子６１Ｘにより螺合して、アタッチメント６０の係止壁部６５を無目４０の係止壁部５６ｂに係止させたものを用意する。
まず、建物の開口部に、ＦＩＸ窓１００の枠体１を躯体に固定した後に、金属下枠１２Ａにアタッチメント６０が取り付けられた無目４０を螺子４１Ｘ，５４Ｘで螺合する。
【００６９】
次に、水切り材７０の上向き片部７４及び係止片部７５を、それぞれ無目４０の係止凹部５４ａ及び係止壁部５６ａに係止させつつ、下方から押圧螺子５５Ｘで水切り材７０を上方に押圧する。押圧した状態で、水切り材７０に左右方向の力を加えると、左右方向の位置を微調整することは可能である。
【００７０】
次に、アタッチメント６０の延出板部６３の端部６３ａに縦辷り出し窓２００の金属上枠３１Ａの係止壁部３５ａを係止させつつ、金属上枠３１Ａとアタッチメント６０とを螺子４１Ｙで螺合する。そして、縦辷り出し窓２００を躯体に固定する。
【００７１】
次に、ＦＩＸ窓１００の金属下枠１２Ａの横板部２０と水切り材７０の被押圧板部７１との間、及び水切り材７０の垂下面部７３と縦辷り出し窓２００の金属上枠３１Ａの縦板部３５との間に、それぞれシール材Ｓ１，Ｓ２を設置する。これにより、水切り材７０は固定され、左右方向への移動が規制される。
【００７２】
次に、無目４０の屋内側から、カバー材８０の上部係止片８３及び下部係止片８４を、それぞれ無目４０の上下の腕部４４に係止させて、カバー材８０を設置する。
【００７３】
次に、上側にＦＩＸ窓１００、下側に引違い窓（第二窓）３００を配置した段窓における窓連結構造について、主に図４を用いて説明する。なお、上記に示す構成と同一の構成については、同一の符号を付して説明を省略する。
図４は、ＦＩＸ窓１００と引違い窓３００との窓連結構造の要部の縦断面図である。
図４に示すように、上側のＦＩＸ窓１００と下側の引違い窓３００とは、無目４０を介して連結されているが、アタッチメント６０は設けられていない。
【００７４】
引違い窓３００の上枠（第二窓の枠）９１は、屋外側に設けられ金属製の金属上枠９１Ａと、屋内側に設けられ樹脂製の樹脂上枠９１Ｂと、を有している。金属上枠９１Ａと樹脂上枠９１Ｂとは連結されている。上枠９１は、単窓用の上枠である。
【００７５】
金属上枠９１Ａは、上部に配置された横板部９２を有している。横板部９２には、上方に突出し、先端部が屋内側に向かって屈曲した上向き係止片部９３が設けられている。上向き係止片部９３は、無目４０の横板部４７の端部４７ａに係止されている。
【００７６】
横板部９２の屋外側の端部９４は、無目４０の係止壁部５６ｂの下面に沿って配置されている。
【００７７】
横板部９２の屋外側の端部９４には、下方に向かって屈曲した縦板部９５が設けられている。縦板部９５と水切り材７０の垂下面部７３との間には、シール材Ｓ２が設けられている。
【００７８】
横板部９２の屋内側の端部には、上方に向かって屈曲した取付板部９６が設けられている。取付板部９６の上端部には、屋外側に向かって屈曲した屈曲壁部９６ａが設けられている。
【００７９】
取付板部９６と、無目４０の基板部４１の下部とは、螺子４１Ｙで螺合されている。屈曲壁部９６ａは、無目４０の延出壁部４３の屋内側の下面に沿って配置されている。
【００８０】
このように、引違い窓３００の金属上枠９１Ａは、屋内側で取付板部９６が螺子４１Ｙで無目４０に連結されるとともに、屋外側で係止片部９３が無目４０の横板部４７の端部４７ａに係止されることで、無目４０に連結されている。
【００８１】
このように構成された窓連結構造では、上側にＦＩＸ窓１００と下側に引違い窓３００とが隣り合って配置されている場合には、無目４０の基板部４１の上部をＦＩＸ窓１００の金属下枠１２Ａの屋内側に螺子４１Ｘで連結し、取付壁部５４を金属下枠１２Ａの屋外側に螺子５４Ｘで連結する。さらに、無目４０の基板部４１の下部を引違い窓３００の金属上枠９１Ａの屋内側に螺子４１Ｙで連結し、横板部４７の端部４７ａに金属上枠９１Ａの屋外側を係止させる。このように、ＦＩＸ窓１００と引違い窓３００とを無目４０を介して連結する。
また、上側にＦＩＸ窓１００と下側に縦辷り出し窓２００とが隣り合って配置されている場合には、同様に、無目４０の基板部４１の上部をＦＩＸ窓１００の金属下枠１２Ａの屋内側に螺子４１Ｘで連結し、取付壁部５４を金属下枠１２Ａの屋外側に螺子５４Ｘで連結する。さらに、無目４０の基板部４１の下部を縦辷り出し窓２００の金属上枠３１Ａの屋内側に螺子４１Ｙで連結し、無目４０にアタッチメント６０を螺子６１Ｘで連結する。そして、アタッチメント６０の延出板部６３の端部６３ａに、金属上枠３１Ａの屋外側を係止させる。このように、ＦＩＸ窓１００と縦辷り出し窓２００とを無目４０及びアタッチメント６０を介して連結する。
つまり、ＦＩＸ窓１００と引違い窓３００とは無目４０を介して連結され、この無目４０及びアタッチメント６０を用いてＦＩＸ窓１００と縦辷り出し窓２００とが連結される。よって、ＦＩＸ窓１００と縦辷り出し窓２００とを連結する際に、新たな無目等の連結部材を必要としないため、連結するための部品点数を抑えることができる。
【００８２】
また、ＦＩＸ窓１００と縦辷り出し窓２００とが隣り合って配置された段窓や連窓で使用される縦辷り出し窓２００の枠は単窓用の縦辷り出し窓の枠であり、段窓や連窓専用の枠を必要としないため、枠の部品点数を抑えることができる。
【００８３】
また、ＦＩＸ窓１００が引違い窓３００及び縦辷り出し窓２００の上方に配置された段窓において、無目４０を共通で使用することができる。
【００８４】
なお、上述した実施の形態において示した各構成部材の諸形状や組み合わせ等は一例であって、本発明の主旨から逸脱しない範囲において設計要求等に基づき種々変更可能である。
【００８５】
例えば、上記に示す実施形態では、上下方向に隣り合う窓どうしの連結構造を例に挙げて説明したが、本発明にこれに限られず、左右方向に隣り合う窓どうしの連結構造にも適用可能である。この場合は、連結部材は方立に相当する。
【００８６】
また、上記に示す実施形態では、アタッチメントは連結材の屋外側に設けられているが、本発明はこれに限られず、アタッチメントが連結材の屋内側に設けられていてもよい。
【００８７】
また、上記に示す実施形態では、第一窓及び第二窓は、連結材の屋内側及び屋外側で連結されている。また、第三窓は、屋内側で連結材に連結され、屋外側でアタッチメントに連結されている。しかし、本発明はこれに限られず、第一窓、第二窓及び第三窓は、屋内側では、連結材に連結されずに、位置決め程度に当接していればよい。
【００８８】
また、連結される建具の一例として、上側にＦＩＸ窓、下側に縦辷り出し窓または引違い窓を例に挙げて説明したが、本発明はこれに限られず、上側及び下側の窓は框ドア等他の建具であってもよい。
【符号の説明】
【００８９】
１，３…枠体
２，４…複層ガラス
１１…上枠
３１…上枠（第三窓の枠）
１２…下枠（第一窓の枠）
３２…下枠
１１Ａ，３１Ａ，９１Ａ…金属上枠
１１Ｂ，３１Ｂ，９１Ｂ…樹脂上枠
１２Ａ，３２Ａ…金属下枠
１２Ｂ，３２Ｂ…樹脂下枠
４０…無目（連結材）
４１…基板部（屋内側第一連結部、屋内側第二連結部）
４１Ｘ…螺子（屋内側第一連結部）
４１Ｙ…螺子（屋内側第二連結部）
４７ａ…端部（屋外側第二連結部）
５４…取付壁部（屋外側第一連結部）
５４Ｘ…螺子（屋外側第一連結部）
５５…取付壁部
５５Ｘ…押圧螺子
５６ｂ…係止壁部
６１Ｘ…螺子
６０…アタッチメント
６３ａ…端部（アタッチメント連結部）
７０…水切り材
７１…被押圧板部
８０…カバー材
９１…上枠（第二窓の枠）
１００…ＦＩＸ窓（第一窓）
２００…縦辷り出し窓（第三窓）
３００…引違い窓（第二窓）
【図１】
0006680595.tif 000002
【図２】
0006680595.tif 000003
【図３】
0006680595.tif 000004
【図４】
0006680595.tif 000005